(57)【特許請求の範囲】
【請求項１】
建物に打込む打込み杆と、その打込み杆によって建物に取り付けられる樹脂製の軒樋受け部材と、からなる軒樋受け具において、
前記打込み杆に、前記軒樋受け部材の下面に沿った形状の受け部材取付部が設けられていると共に、この受け部材取付部の先端に折曲部が上向きに設けられ、前記軒樋受け部材の下面に、前記受け部材取付部を嵌着可能な嵌着溝が設けられ、この嵌着溝の底面に、前記折曲部を差込可能な差込孔が設けられていることを特徴とする軒樋受け具。
【請求項２】
前記差込孔が凹部を介して孔上部と孔下部とに分割され、前記軒樋受け部材が前記凹部に嵌合可能な嵌合ピンを有し、前記嵌合ピンと前記打込み杆の折曲部に、前記打込み杆の上下移動を規制する係合部が設けられている請求項１記載の軒樋受け具。
【請求項３】
前記嵌着溝の前端部が前記軒樋受け部材の前方に開口し、前記差込孔が前記嵌着溝の前端部に配置されている請求項１または２記載の軒樋受け具。
【発明の詳細な説明】
【０００１】
【発明の属する技術分野】
本発明は、軒樋を建物に取り付けるのに使用する軒樋受け具であって、特に、打込み杆を備えた軒樋受け具に関する。
【０００２】
【従来の技術】
従来、打込み杆を備えた軒樋受け具としては、例えば、実開昭５６−３９３４号公報に記載されているように、樋受け部材の底部に設けた貫通孔に座金を介して打込み杆の頭部をかしめたものや、実公昭６１−３２０３６号公報に記載されているように、樋受け部材の底部に設けた貫通孔に嵌合リングを介して打込み杆の頭部をかしめたものが知られている。また、これらの軒樋受け具は、樋受け部材と打込み杆が共に金属で形成されているが、これは、樋受け部材の材質を樹脂にすると、打込み杆よりも樋受け部材の方が硬度が落ちるため、かしめが十分にできなくなり、打込み杆と樋受け部材との間に必要な結合強度が得られず、耐荷重性能が維持できなくなるためである。
【０００３】
【発明が解決しようとする課題】
つまり、上記した従来の軒樋受け具にあっては、樋受け部材と打込み杆を共に金属で形成しなければならないために、意匠の自由度が低いと共に、コストが高く、また、製造手間もかかるという問題があった。
【０００４】
そこで、本発明は、上記のような問題に着目し、耐荷重性能を維持しながら、意匠の自由度が高く、低コストで、製造手間のかからない軒樋受け具を提供することを目的としている。
【０００５】
【課題を解決するための手段】
上記目的を達成するために、請求項１記載の発明では、建物に打込む打込み杆と、その打込み杆によって建物に取り付けられる樹脂製の軒樋受け部材と、からなる軒樋受け具において、前記打込み杆に、前記軒樋受け部材の下面に沿った形状の受け部材取付部が設けられていると共に、この受け部材取付部の先端に折曲部が上向きに設けられ、前記軒樋受け部材の下面に、前記受け部材取付部を嵌着可能な嵌着溝が設けられ、この嵌着溝の底面に、前記折曲部を差込可能な差込孔が設けられている構成とした。
また、請求項２記載の発明では、請求項１記載の発明において、前記差込孔が凹部を介して孔上部と孔下部とに分割され、前記軒樋受け部材が前記凹部に嵌合可能な嵌合ピンを有し、前記嵌合ピンと前記打込み杆の折曲部に、前記打込み杆の上下移動を規制する係合部が設けられている構成とした。
更に、請求項３記載の発明では、請求項１または２記載の発明において、前記嵌着溝の前端部が前記軒樋受け部材の前方に開口し、前記差込孔が前記嵌着溝の前端部に配置されている構成とした。
【０００６】
【作用】
請求項１記載の軒樋受け具では、軒樋受け部材の差込孔に打込み杆の折曲部を差し込ませると共に、軒樋受け部材の嵌着溝に打込み杆の受け部材取付部を嵌着させると、軒樋受け部材は、前記折曲部によって横方向への移動が規制され、かつ、前記受け部材取付部によって上下方向への移動が規制された状態で打込み杆に結合される。
【０００７】
請求項２記載の軒樋受け具では、軒樋受け部材の差込孔に打込み杆の折曲部を差し込ませると共に、軒樋受け部材の嵌着溝に打込み杆の受け部材取付部を嵌着させ、かつ、軒樋受け部材の凹部に嵌合ピンを嵌合させると、軒樋受け部材は、前記折曲部によって横方向への移動が規制され、かつ、前記受け部材取付部ならびに前記折曲部の係合部によって上下方向への移動が規制された状態で打込み杆に結合される。
【０００８】
請求項３記載の軒樋受け具では、打込み杆と軒樋受け部材とを結合させると、打込み杆の受け部材取付部の前端部が軒樋受け部材の前方に表れるので、打込み杆と前記軒樋受け部材とを結合させてからでも打込み杆の受け部材取付部の前端部を金槌等で打つことができる。
【０００９】
【発明の実施の形態】
まず、図１〜図６に基づいて、実施の形態１の軒樋受け具について詳述する。図１ならびに図２は実施の形態１の軒樋受け具を示す斜視図、図３ならびに図４は実施の形態１の軒樋受け具を示す側面図、図５は実施の形態１の軒樋受け具の要部断面図、図６は実施の形態１の軒樋受け具の施工状態を示す図である。
【００１０】
この軒樋受け具Ａは、建物に打込む金属製の打込み杆１と、この打込み杆１によって建物に取り付けられる樹脂製の軒樋受け部材２と、で構成されている。
【００１１】
前記打込み杆１は、一端が尖った形状に形成されており、他端には、前記軒樋受け部材２の下面に沿った湾曲形状の受け部材取付部１１が設けられていると共に、この受け部材取付部１１の先端に折曲部１２が上向きに設けられている。なお、この打込み杆１の断面形状は、四角形になっている。
【００１２】
前記軒樋受け部材２は、軒樋３を嵌合可能な略Ｕ字形の湾曲形状に形成されており、その前面に、横断面略Ｖ字形の化粧板２１が一体成形されている。
また、この軒樋受け部材２には、前記打込み杆１の受け部材取付部１１を嵌着可能な嵌着溝２２が下面に設けられていると共に、前記打込み杆１の折曲部１２を差込可能な差込孔２３が前記嵌着溝２２の底面に設けられている。つまり、軒樋受け部材２の差込孔２３に打込み杆１の折曲部１２を差し込ませると共に、軒樋受け部材２の嵌着溝２２に打込み杆１の受け部材取付部１１を嵌着させると、軒樋受け部材２は、前記折曲部１２によって横方向への移動が規制され、かつ、前記受け部材取付部１１によって上下方向への移動が規制された状態で打込み杆１に結合されることになる。なお、前記嵌着溝２２は、図５に示すように、側面がテーパを有していて底面幅ｗ１よりも開口幅ｗ２の方が狭くなっていると共に、開口幅ｗ２が前記打込み杆１の受け部材取付部１１の幅ｗ３よりも若干狭くなっていることで、受け部材取付部１１を嵌着できるようになっている。
なお、前記軒樋受け部材２の底面前部には、前記嵌着溝２２の前端部が前方に開口した円弧状の窪み部２４が設けられており、この嵌着溝２２の前端部に差込孔２３が配置されているので、前記打込み杆１と前記軒樋受け部材２とを結合させると、打込み杆１の受け部材取付部１１の前端部が軒樋受け部材２の前方に表れるようになっている。
【００１３】
更に、前記軒樋受け部材２の前側上端部と後側上端部のそれぞれには、軒樋３の前耳３１の浮き上がりを規制する前耳係止部２５と、軒樋３の後耳３２の浮き上がりを規制する後耳係止部２６とが設けられている。
【００１４】
この軒樋受け具Ａを建物に取り付ける場合には、まず、打込み杆１を金槌等で建物（例えば、図６に示すように鼻隠し板４）に打込んで固定し、それから、この打込み杆１に軒樋受け部材２を結合させるようにしてもよいし、打込み杆１と軒樋受け部材２とを結合させてから建物に打込み杆１を固定するようにしてもよい。なお、前記打込み杆１と前記軒樋受け部材２とを結合させると、打込み杆１の受け部材取付部１１の前端部が軒樋受け部材２の前方に表れるようになっているので、打込み杆１と前記軒樋受け部材２とを結合させてからでも打込み杆１の受け部材取付部１１の前端部を金槌で打つことができるので、後者の方法でも手際よく取り付け作業を行うことができる。
【００１５】
このように、本実施の形態１の軒樋受け具Ａにあっては、軒樋受け部材２が樹脂で形成されているので、軒樋受け部材２の前面に横断面Ｖ字形の化粧板２１が一体成形された装飾性の高い形状であっても、製造手間をかけず、しかも低コストで製造することができる。また、軒樋受け部材２が樹脂で形成されていても、打込み杆１と軒樋受け部材２とを確実に結合することができるので、高い耐荷重性能を維持できる。
【００１６】
次に、図７〜図１２に基づき、実施の形態２の軒樋受け具について説明する。なお、実施の形態２を説明するにあたり、実施の形態と同一の構成については実施の形態１と同一の符号を図面に付して説明を省略する。図７〜図９は実施の形態２の軒樋受け具を示す斜視図、図１０ならびに図１１は実施の形態２の軒樋受け具を示す側面図、図１２は実施の形態２の軒樋受け具の施工状態を示す図である。
【００１７】
本実施の形態２の軒樋受け具Ｂは、軒樋受け部材２の差込孔２３が凹部２７を介して孔上部と孔下部とに分割され、前記軒樋受け部材２が、前記凹部２７に嵌合可能な嵌合ピン５を有している。
前記嵌合ピン５は、割りリング状に形成されており、割れ目幅が打込み杆１の折曲部１２の幅よりも小さくなっていて、打込み杆１の折曲部１２に嵌合させた状態を保持できるようになっている。また、前記嵌合ピン５と前記打込み杆１の折曲部１２のそれぞれには、前記打込み杆１の上下移動を規制する係合凸部５１と係合凹部１２１が左右両側面に設けられている。
従って、打込み杆１と軒樋受け部材２とを、より高い強度で結合することができる。
【００１８】
以上、本発明の実施の形態を図面により詳述してきたが、具体的な構成はこの実施の形態に限られるものではなく、本発明の要旨を逸脱しない範囲における設計の変更等があっても本発明に含まれる。例えば、実施の形態では、横断面Ｖ字形の化粧板が一体成形された軒樋受け部材を示したが、軒樋受け部材は、実施の形態に示した形状ならびに構造のものに限らず、化粧板の横断面が半円形になっていてもよいし、化粧板自体が設けられていない構造のものであってもよい。また、打込み杆の断面形状は四角形でなくてもよく、円形や六角形、八角形であってもよい。
【００１９】
【発明の効果】
以上説明したように、請求項１記載の軒樋受け具にあっては、軒樋受け部材が樹脂で形成されているので、軒樋受け部材が装飾性の高い形状であっても、製造手間をかけず、しかも低コストで製造することができる。また、軒樋受け部材が樹脂で形成されていても、打込み杆と軒樋受け部材とを確実に結合することができるので、高い耐荷重性能を維持できるという効果が得られる。
【００２０】
請求項２記載の軒樋受け具にあっては、差込孔が凹部を介して孔上部と孔下部とに分割され、前記軒樋受け部材が前記凹部に嵌合可能な嵌合ピンを有し、前記嵌合ピンと前記打込み杆の折曲部に、前記打込み杆の上下移動を規制する係合部が設けられているので、打込み杆と軒樋受け部材とを、より高い強度で結合することができるという効果が得られる。
【００２１】
請求項３記載の軒樋受け具にあっては、嵌着溝の前端部が前記軒樋受け部材の前方に開口し、前記差込孔が前記嵌着溝の前端部に配置されているので、打込み杆と軒樋受け部材とを結合させてからでも建物に打込み杆を手際よく固定することができるという効果が得られる。
【図面の簡単な説明】
【図１】  実施の形態１の軒樋受け具を示す斜視図である。
【図２】  実施の形態１の軒樋受け具を示す斜視図である。
【図３】  実施の形態１の軒樋受け具を示す側面図である。
【図４】  実施の形態１の軒樋受け具を示す側面図である。
【図５】  実施の形態１の軒樋受け具の要部断面図である。
【図６】  実施の形態１の軒樋受け具の施工状態を示す図である。
【図７】  実施の形態２の軒樋受け具を示す斜視図である。
【図８】  実施の形態２の軒樋受け具を示す斜視図である。
【図９】  実施の形態２の軒樋受け具を示す斜視図である。
【図１０】  実施の形態２の軒樋受け具を示す側面図である。
【図１１】  実施の形態２の軒樋受け具を示す側面図である。
【図１２】  実施の形態２の軒樋受け具の施工状態を示す図である。
【符号の説明】
Ａ，Ｂ  軒樋受け具
１  打込み杆
１１  受け部材取付部
１２  折曲部
１２１  係合凸部（係合部）
２  軒樋受け部材
２２  嵌着溝
２３  差込孔
２７  凹部
３  軒樋
４  鼻隠し板
５  嵌合ピン
５１  係合凹部（係合部）
【図１】
0003707881.tif 000002
【図２】
0003707881.tif 000003
【図３】
0003707881.tif 000004
【図４】
0003707881.tif 000005
【図５】
0003707881.tif 000006
【図６】
0003707881.tif 000007
【図７】
0003707881.tif 000008
【図８】
0003707881.tif 000009
【図９】
0003707881.tif 000010
【図１０】
0003707881.tif 000011
【図１１】
0003707881.tif 000012
【図１２】
0003707881.tif 000013